(57)【要約】【課題】  より効率よく分析することが可能な分析装置および分析方法を提供すること。【解決手段】  分析装置Ａは、導入された試料Ｓｐに含まれる特定成分を分離する複数の分離流路３０ａ，３０ｂ，３０ｃ，３０ｄと、上記分離された特定成分を検出する検出手段４０と、各分離流路３０ａ，３０ｂ，３０ｃ，３０ｄにおける上記分離を行う分離工程および上記検出を行う検出工程を有する分析工程、および上記各分離流路を上記分析工程を実施可能な状態とする前処理工程、を制御する制御部７１と、試料Ｓｐを分離流路３０ａ，３０ｂ，３０ｃ，３０ｄに分注するノズル２２を有する分注手段と、を備えており、上記前処理工程は、試料Ｓｐを分離流路３０ａ，３０ｂ，３０ｃ，３０ｄに分注する分注工程をさらに含んでおり、分離流路３０ａ，３０ｂ，３０ｃ，３０ｄには、ノズル２２を侵入させ、かつ試料Ｓｐの導入を行うための導入孔３１ａ，３１ｂ，３１ｃ，３１ｄが形成されている。【選択図】  図１
2014132276.tif 000002
【特許請求の範囲】
【請求項１】
導入された試料に含まれる特定成分を分離する複数の分離流路と、
上記分離された特定成分を検出する検出手段と、
上記各分離流路における上記分離を行う分離工程および上記検出を行う検出工程を有する分析工程、および上記各分離流路を上記分析工程を実施可能な状態とする前処理工程、を制御する制御部と、
上記試料を上記各分離流路に分注するノズルを有する分注手段と、を備えており、
上記前処理工程は、上記試料を上記分離流路に分注する分注工程をさらに含んでおり、
上記分離流路には、上記ノズルを侵入させ、かつ上記試料の導入を行うための導入孔が形成されている、分析装置。
【請求項２】
上記検出手段は、各々が上記各分離流路に設けられた複数の検出部からなる、請求項１に記載の分析装置。
【請求項３】
上記各検出部は、上記各分離流路中央からいずれかの端に偏った位置において検出を行い、かつ、
上記各分離流路には、その両端のいずれからも試料を導入可能である、請求項２に記載の分析装置。
【請求項４】
上記複数の分離流路には、上記各分離流路に充填された液体を排出させうる圧力を付与する圧力発生手段が接続されている、請求項１ないし３のいずれかに記載の分析装置。
【請求項５】
上記複数の分離流路と上記圧力発生手段との間には、上記複数の分離流路に付与される圧力を均一化するためのマニホールドが設けられている、請求項４に記載の分析装置。
【請求項６】
上記試料を収容するとともに、上記試料を外気から遮断するための蓋を有する試料容器をさらに備えており、
上記ノズルは、上記蓋を貫通可能である、請求項１ないし５のいずれかに記載の分析装置。
【請求項７】
上記前処理工程が、希釈槽において上記試料を希釈液によって希釈する希釈工程を含んでおり、
上記希釈槽への上記ノズルからの吸入および排出によって上記試料と上記希釈液とを攪拌する、請求項１ないし６のいずれかに記載の分析装置。
【請求項８】
上記分離工程は、電気泳動を利用しており、
電気泳動に用いる泳動液が、上記希釈液を兼ねている、請求項７に記載の分析装置。
【請求項９】
上記各分離流路は、両端寄りに設けられた１対の電極を有しており、
上記各分離流路において電気泳動を生じさせうる電圧を印加する共通の電源部と、
上記電源部と上記複数の分離流路のいずれの上記１対の電極とを導通させるかを選択可能なスイッチとを備えており、
上記スイッチの切り替え動作は、上記制御部によって制御される、請求項１ないし８のいずれかに記載の分析装置。
【請求項１０】
上記電源部は、上記各分離流路に印加する電圧の極性を切り替え可能である、請求項９に記載の分析装置。
【請求項１１】
上記各分離流路の断面は、直径が２５〜１００μｍの円形、または辺の長さが２５〜１００μｍの矩形である、請求項８ないし１０のいずれかに記載の分析装置。
【請求項１２】
上記試料は、ヘモグロビンを含む、請求項１ないし１１のいずれかに記載の分析装置。
【請求項１３】
上記試料は、血液である、請求項１２に記載の分析装置。
【請求項１４】
上記制御部は、同一の試料を対象として２以上の上記分離流路において上記分析工程を行った場合に、これらの分離流路における分析結果を平均化処理する、請求項１ないし１３のいずれかに記載の分析装置。
【請求項１５】
上記制御部は、上記２以上の分離流路の分析結果のうち、異常であると判断したものを除いて上記平均化処理を行う、請求項１４に記載の分析装置。
【請求項１６】
上記制御部は、上記各分離流路に設定された補正係数を用いて、上記分析結果に対して補正演算処理を行う、請求項１ないし１５のいずれかに記載の分析装置。
【請求項１７】
複数の分離流路を用い、上記各分離流路に導入された試料の特定成分を分離する分離工程、および分離された上記特定成分を検出手段によって検出する検出工程を含む分析工程と、
上記各分離流路を上記分析工程を実施可能な状態とする前処理工程と、を有しており、
上記前処理工程は、ノズルを有する分注手段を用いて上記試料を上記分離流路に分注する分注工程をさらに含んでおり、
上記分注工程においては、上記分離流路に設けられた導入孔に上記ノズルを侵入させ、かつ上記試料の導入を行う、分析方法。
【請求項１８】
上記検出手段は、各々が上記各分離流路に設けられた複数の検出部からなる、請求項１７に記載の分析方法。
【請求項１９】
上記各検出部は、上記各分離流路中央からいずれかの端に偏った位置において検出を行い、かつ、
上記各分離流路には、その両端のいずれからも試料を導入可能である、請求項１８に記載の分析方法。
【請求項２０】
上記複数の分離流路には、上記各分離流路に充填された液体を排出させうる圧力を付与する圧力発生手段が接続されている、請求項１７ないし１９のいずれかに記載の分析方法。
【請求項２１】
上記複数の分離流路と上記圧力発生手段との間には、上記複数の分離流路に付与される圧力を均一化するためのマニホールドが設けられている、請求項２０に記載の分析方法。
【請求項２２】
上記ノズルを、上記試料を収容する試料容器に設けられた、上記試料を外気から遮断するための蓋を貫通させることにより、上記試料を吸引する、請求項１７ないし２１のいずれかに記載の分析方法。
【請求項２３】
上記前処理工程が、希釈槽において上記試料を希釈液によって希釈する希釈工程を含んでおり、
上記希釈槽への上記ノズルからの吸入および排出によって上記試料と上記希釈液とを攪拌する、請求項１７ないし２２のいずれかに記載の分析方法。
【請求項２４】
上記分離工程は、電気泳動を利用しており、
電気泳動に用いる泳動液が、上記希釈液を兼ねている、請求項２３に記載の分析方法。
【請求項２５】
上記各分離流路は、両端寄りに設けられた１対の電極を有しており、
共通の電源部からスイッチを切り替えることにより、上記各分離流路の上記１対の電極に電気泳動を生じさせうる電圧を選択的に印加する、請求項１７ないし２４のいずれかに記載の分析方法。
【請求項２６】
上記電源部は、上記各分離流路に印加する電圧の極性を切り替え可能である、請求項２５に記載の分析方法。
【請求項２７】
上記各分離流路の断面は、直径が２５〜１００μｍの円形、または辺の長さが２５〜１００μｍの矩形である、請求項２４ないし２６のいずれかに記載の分析方法。
【請求項２８】
上記試料は、ヘモグロビンを含む、請求項１７ないし２７のいずれかに記載の分析方法。
【請求項２９】
上記試料は、血液である、請求項２８に記載の分析方法。
【請求項３０】
同一の試料を対象として２以上の上記分離流路において上記分析工程を行った場合に、これらの分離流路における分析結果を平均化処理する、請求項１７ないし２９のいずれかに記載の分析方法。
【請求項３１】
上記２以上の分離流路の分析結果のうち、異常であると判断したものを除いて上記平均化処理を行う、請求項３０に記載の分析方法。
【請求項３２】
上記各分離流路に設定された補正係数を用いて、上記分析結果に対して補正演算処理を行う、請求項１７ないし３１のいずれかに記載の分析方法。
【発明の詳細な説明】
【技術分野】
【０００１】
本発明は、たとえばキャピラリー電気泳動法を用いた分析装置および分析方法に関する。
【背景技術】
【０００２】
試料に含まれる特定成分の濃度もしくは量を分析する分析方法には、試料から特定成分を分離する分離工程と、分離された特定成分を検出する検出工程とを有する方法がある。たとえば、キャピラリー電気泳動法を用いた分析方法においては、断面積が比較的小である分離流路に泳動液を充填し、さらに上記分離流路の一端寄りに上記試料を導入する。上記分離流路の両端に電圧を加えると、電気泳動により上記泳動液が正極側から負極側へと移動する電気浸透流が生じる。また、上記電圧が印加されることにより、上記特定成分は、それぞれの電気泳動移動度に応じて移動しようとする。したがって、上記特定成分は、上記電気浸透流の速度ベクトルと上記電気泳動による移動の速度ベクトルとを合成した速度ベクトルにしたがって移動する。この移動によって、上記特定成分が他の成分から分離される。この分離された特定成分をたとえば光学的手法によって検出することにより、上記特定成分の量や濃度を分析することができる。
【０００３】
上記分析方法を複数の試料に対して行う場合、複数の上記分離流路を用意し、これらの分離流路を繰り返し使用する。前回の分析後の上記分離流路に上記試料が残存したまま、次回の分析を行うと正しい分析結果が得られない。このため、上記分離流路を分析を終えるたびに洗浄する必要がある。図８は、従来の分析方法におけるタイミングチャートを示している（たとえば、特許文献１参照）。この分析方法においては、４つの分離流路９１ａ，９１ｂ，９１ｃ，９１ｄを用いている。
【０００４】
まず、分離流路９１ａに対して洗浄工程を含む前処理工程９２ａを実施する。分離流路９１ａにおいては、前処理工程９２ａに引き続いて、キャピラリー電気泳動法を用いた分析工程９３ａを実施する。また、前処理工程９２ａが終了した後は、これに引き続いて分離流路９１ｂにおいて前処理工程９２ｂおよび分析工程９３ｂを実施する。また、前処理工程９２ｂが終了した後は、これに引き続いて分離流路９１ｃにおいて前処理工程９２ｃおよび分析工程９３ｃを実施する。そして、前処理工程９２ｃが終了した後は、これに引き続いて分離流路９１ｄにおいて前処理工程９２ｄおよび分析工程９３ｄを実施する。このように本分析方法においては、前処理工程９２ａ，９２ｂ，９２ｃ，９２ｄを一連の工程として連続して行う。多数の試料に対して分析を行う場合には、本図に示された処理を繰り返す。これにより、たとえば、分析工程９３ａが終了するまで前処理工程９２ｂの開始を待つ必要が無く、すべての分析工程を完了するのに要する時間の短縮が図られている。
【０００５】
しかしながら、より多くの試料を対象とする場合、より効率よく上記分析を行うことが要求される。上記分析方法においては、たとえば、分離流路９１ｂにおいては、前処理工程９２ａを完了させる時間と、前処理工程９２ｂを完了させる時間とを足した時間が経過しないと分析工程９３ｂを開始できない。このように、上記分析方法においては、分析工程９３ａ，９３ｂ，９３ｃ，９３ｄを開始するまでの待ち時間が、全体の分析時間短縮を阻害することとなっていた。
【先行技術文献】
【特許文献】
【０００６】
【特許文献１】特許第４３７５０３１号公報
【発明の概要】
【発明が解決しようとする課題】
【０００７】
本発明は、上記した事情のもとで考え出されたものであって、より効率よく分析することが可能な分析装置および分析方法を提供することをその課題とする。
【課題を解決するための手段】
【０００８】
本発明の第１の側面によって提供される分析装置は、導入された試料に含まれる特定成分を分離する複数の分離流路と、上記分離された特定成分を検出する検出手段と、上記各分離流路における上記分離を行う分離工程および上記検出を行う検出工程を有する分析工程、および上記各分離流路を上記分析工程を実施可能な状態とする前処理工程、を制御する制御部と、備えており、上記制御部は、上記複数の分離流路のうち少なくとも２つの分離流路の上記前処理工程の少なくとも一部ずつを同時に実行する。
【０００９】
本発明の好ましい実施の形態においては、上記前処理工程は、上記各分離流路を洗浄する洗浄工程を含んでいる。
【００１０】
本発明の好ましい実施の形態においては、上記洗浄工程に用いる洗浄液が蓄えられた洗浄液槽をさらに備えており、上記複数の分離流路は、上記洗浄液槽に対して分岐流路を介して接続されており、上記制御部は、上記複数の分離流路のいずれに向けて上記洗浄液槽から上記洗浄液が流れ込むかを制御する。
【００１１】
本発明の好ましい実施の形態においては、上記分岐流路には、上記洗浄液槽から上記複数の分離流路のいずれに上記洗浄液が流れ込むかを切り替える切り替えバルブが設けられており、上記切り替えバルブの切り替え動作は、上記制御部によって制御される。
【００１２】
本発明の好ましい実施の形態においては、上記分離工程は、電気泳動を利用しており、上記切り替えバルブの上流側には、電気泳動に用いる泳動液が蓄えられた泳動液槽がさらに繋げられており、上記制御部は、上記切り替えバルブの切り替え動作により、上記複数の分離流路のいずれかに上記洗浄液または上記泳動液を選択的に導入する。
【００１３】
本発明の好ましい実施の形態においては、上記前処理工程は、上記洗浄工程を終えた上記分離流路に上記泳動液を充填する充填工程をさらに含んでいる。
【００１４】
本発明の好ましい実施の形態においては、上記制御部は、上記複数の分離流路の上記前処理工程の開始時刻、または上記分析工程の開始時刻を、互いに異なる時刻に設定する。
【００１５】
本発明の好ましい実施の形態においては、上記検出手段は、各々が上記各分離流路に設けられた複数の検出部からなる。
【００１６】
本発明の好ましい実施の形態においては、上記各検出部は、上記各分離流路中央からいずれかの端に偏った位置において検出を行い、かつ、上記各分離流路には、その両端のいずれからも試料を導入可能である。
【００１７】
本発明の好ましい実施の形態においては、上記複数の分離流路には、上記各分離流路に充填された液体を排出させうる圧力を付与する圧力発生手段が接続されている。
【００１８】
本発明の好ましい実施の形態においては、上記複数の分離流路と上記圧力発生手段との間には、上記複数の分離流路に付与される圧力を均一化するためのマニホールドが設けられている。
【００１９】
本発明の好ましい実施の形態においては、上記試料を上記各分離流路に分注するノズルを有する分注手段をさらに備えており、上記前処理工程は、上記試料を上記分離流路に分注する分注工程をさらに含んでいる。
【００２０】
本発明の好ましい実施の形態においては、上記試料を収容するとともに、上記試料を外気から遮断するための蓋を有する試料容器をさらに備えており、上記ノズルは、上記蓋を貫通可能である。
【００２１】
本発明の好ましい実施の形態においては、上記前処理工程が、希釈槽において上記試料を希釈液によって希釈する希釈工程を含んでおり、上記希釈槽への上記ノズルからの吸入および排出によって上記試料と上記希釈液とを攪拌する。
【００２２】
本発明の好ましい実施の形態においては、上記分離工程は、電気泳動を利用しており、電気泳動に用いる泳動液が、上記希釈液を兼ねている。
【００２３】
本発明の好ましい実施の形態においては、上記各分離流路は、両端寄りに設けられた１対の電極を有しており、上記各分離流路において電気泳動を生じさせうる電圧を印加する共通の電源部と、上記電源部と上記複数の分離流路のいずれの上記１対の電極とを導通させるかを選択可能なスイッチとを備えており、上記スイッチの切り替え動作は、上記制御部によって制御される。
【００２４】
本発明の好ましい実施の形態においては、上記電源部は、上記各分離流路に印加する電圧の極性を切り替え可能である。
【００２５】
本発明の好ましい実施の形態においては、上記各分離流路の断面は、直径が２５〜１００μｍの円形、または辺の長さが２５〜１００μｍの矩形である。
【００２６】
本発明の好ましい実施の形態においては、上記試料は、ヘモグロビンを含む。
【００２７】
本発明の好ましい実施の形態においては、上記試料は、血液である。
【００２８】
本発明の好ましい実施の形態においては、上記制御部は、同一の試料を対象として２以上の上記分離流路において上記分析工程を行った場合に、これらの分離流路における分析結果を平均化処理する。
【００２９】
本発明の好ましい実施の形態においては、上記制御部は、上記２以上の分離流路の分析結果のうち、異常であると判断したものを除いて上記平均化処理を行う。
【００３０】
本発明の好ましい実施の形態においては、上記制御部は、上記各分離流路に設定された補正係数を用いて、上記分析結果に対して補正演算処理を行う
【００３１】
本発明の第２の側面によって提供される分析方法は、複数の分離流路を用い、上記各分離流路に導入された試料の特定成分を分離する分離工程、および分離された上記特定成分を検出手段によって検出する検出工程を含む分析工程と、上記各分離流路を上記分析工程を実施可能な状態とする前処理工程と、を有しており、上記複数の分離流路のうち少なくとも２つの分離流路の上記前処理工程の少なくとも一部ずつを同時に実行する。
【００３２】
本発明の好ましい実施の形態においては、上記前処理工程は、上記各分離流路を洗浄する洗浄工程を含んでいる。
【００３３】
本発明の好ましい実施の形態においては、上記複数の分離流路は、上記洗浄工程に用いる洗浄液が蓄えられた洗浄液槽に対して分岐流路を介して接続されており、上記複数の分離流路にいずれかに向けて上記洗浄液槽から上記洗浄液を選択的に流れ込ませる。
【００３４】
本発明の好ましい実施の形態においては、上記分岐流路には、上記洗浄液槽から上記複数の分離流路のいずれに上記洗浄液が流れ込むかを切り替える切り替えバルブが設けられている。
【００３５】
本発明の好ましい実施の形態においては、上記分離工程は、電気泳動を利用しており、上記切り替えバルブの上流側には、電気泳動に用いる泳動液が蓄えられた泳動液槽がさらに繋げられており、上記切り替えバルブの切り替え動作により、上記複数の分離流路のいずれかに上記洗浄液または上記泳動液を選択的に導入する。
【００３６】
本発明の好ましい実施の形態においては、上記前処理工程は、上記洗浄工程を終えた上記分離流路に上記泳動液を充填する充填工程をさらに含んでいる。
【００３７】
本発明の好ましい実施の形態においては、上記複数の分離流路の上記前処理工程の開始時刻、または上記分析工程の開始時刻を、互いに異なる時刻に設定する。
【００３８】
本発明の好ましい実施の形態においては、上記検出手段は、各々が上記各分離流路に設けられた複数の検出部からなる。
【００３９】
本発明の好ましい実施の形態においては、上記各検出部は、上記各分離流路中央からいずれかの端に偏った位置において検出を行い、かつ、上記各分離流路には、その両端のいずれからも試料を導入可能である。
【００４０】
本発明の好ましい実施の形態においては、上記複数の分離流路には、上記各分離流路に充填された液体を排出させうる圧力を付与する圧力発生手段が接続されている。
【００４１】
本発明の好ましい実施の形態においては、上記複数の分離流路と上記圧力発生手段との間には、上記複数の分離流路に付与される圧力を均一化するためのマニホールドが設けられている。
【００４２】
本発明の好ましい実施の形態においては、上記前処理工程は、ノズルを有する分注手段を用いて上記試料を上記分離流路に分注する分注工程をさらに含んでいる。
【００４３】
本発明の好ましい実施の形態においては、上記ノズルを、上記試料を収容する試料容器に設けられた、上記試料を外気から遮断するための蓋を貫通させることにより、上記試料を上記シリンジに吸引する。
【００４４】
本発明の好ましい実施の形態においては、上記前処理工程が、希釈槽において上記試料を希釈液によって希釈する希釈工程を含んでおり、上記希釈槽への上記ノズルからの吸入および排出によって上記試料と上記希釈液とを攪拌する。
【００４５】
本発明の好ましい実施の形態においては、上記分離工程は、電気泳動を利用しており、
電気泳動に用いる泳動液が、上記希釈液を兼ねている。
【００４６】
本発明の好ましい実施の形態においては、上記各分離流路は、両端寄りに設けられた１対の電極を有しており共通の電源部からスイッチを切り替えることにより、上記各分離流路の上記１対の電極に電気泳動を生じさせうる電圧を選択的に印加する。
【００４７】
本発明の好ましい実施の形態においては、上記電源部は、上記各分離流路に印加する電圧の極性を切り替え可能である。
【００４８】
本発明の好ましい実施の形態においては、上記各分離流路の断面は、直径が２５〜１００μｍの円形、または辺の長さが２５〜１００μｍの矩形である。
【００４９】
本発明の好ましい実施の形態においては、上記試料は、ヘモグロビンを含む。
【００５０】
本発明の好ましい実施の形態においては、上記試料は、血液である。
【００５１】
本発明の好ましい実施の形態においては、同一の試料を対象として２以上の上記分離流路において上記分析工程を行った場合に、これらの分離流路における分析結果を平均化処理する。
【００５２】
本発明の好ましい実施の形態においては、上記２以上の分離流路の分析結果のうち、異常であると判断したものを除いて上記平均化処理を行う。
【００５３】
本発明の好ましい実施の形態においては、上記各分離流路に設定された補正係数を用いて、上記分析結果に対して補正演算処理を行う
【００５４】
このような構成によれば、上記複数の分離流路の上記前処理工程を完了するのに要する時間は、上記前処理工程それぞれを個別に完了させる時間を合計した時間よりも明らかに短い。このため、上記分析工程を、たとえば図８に示した例と比べて相当早く終了させることが可能である。これにより、上記分析装置を用いた分析をより効率よく行うことができる。
【００５５】
本発明のその他の特徴および利点は、添付図面を参照して以下に行う詳細な説明によって、より明らかとなろう。
【図面の簡単な説明】
【００５６】
【図１】本発明に係る分析装置の一例を示すシステム概略図である。
【図２】本実施形態の分析装置の電源構成を示す回路図である。
【図３】本発明に係る分析方法の一例を示すフロー図である。
【図４】試料容器から試料を抽出する工程を示す概略図である。
【図５】希釈槽における希釈および攪拌工程を示す概略図である。
【図６】分離流路への分留工程を示す概略図である。
【図７】本発明に係る分析方法の一例を示すタイミングチャートである。
【図８】従来の分析方法の一例を示すタイミングチャートである。
【発明を実施するための形態】
【００５７】
以下、本発明の好ましい実施の形態につき、図面を参照して具体的に説明する。
【００５８】
図１は、本発明に係る分析装置の一例を示している。本実施形態の分析装置Ａは、貯槽部１０、分注手段２０、複数の分離流路３０ａ，３０ｂ，３０ｃ，３０ｄ、検出手段４０、制御部７１、電源部７２を備えている。本実施形態においては、分析装置Ａは、キャピラリー電気泳動法を用いた分析を行う。なお、図１においては、理解の便宜上電源部７２を省略している。
【００５９】
貯槽部１０は、泳動液槽１１、精製水槽１２、洗浄液槽１３を備えている。泳動液槽１１には、泳動液Ｌ１が溜められている。泳動液Ｌ１は、キャピラリー電気泳動法においていわゆるバッファとして機能する液体であり、たとえば、１００ｍＭりんご酸−アルギニンバッファ（ｐＨ５．０）である。精製水槽１２には、精製水Ｌ２が溜められている。洗浄液槽１３には、洗浄液Ｌ３が溜められている。
【００６０】
分注手段２０は、試料Ｓｐを複数の分離流路３０ａ，３０ｂ，３０ｃ，３０ｄに分注し、さらには、試料Ｓｐを分析に適した状態に希釈する機能を有している。分注手段２０は、試料容器２３、希釈槽２５、シリンジ２１、およびノズル２２を備えている。
【００６１】
試料容器２３は、たとえばガラス製の採血管であり、たとえば全血などの試料Ｓｐが収容される。試料容器２３には、たとえばゴム製の蓋２４が嵌められている。希釈槽２５は、全血である試料Ｓｐを分析に適した濃度に希釈するための場である。シリンジ２１は、吸入および排出動が可能とされており、ノズル２２が繋げられている。ノズル２２は、シリンジ２１の吸入および排出動によって、試料Ｓｐが吸入および排出される部分である。本実施形態においては、ノズル２２は、たとえばステンレス製であり、先端が斜めに切断された鋭利な形状とされている。また、ノズル２２は、図示しない駆動機構に支持されている。この駆動機構により、ノズル２２は、試料容器２３への挿入および引き抜き、希釈槽２５への進入および退出、および分離流路３０ａ，３０ｂ，３０ｃ，３０ｄの導入孔３１ａ，３１ｂ，３１ｃ，３１ｄへの進入および退出が可能とされている。さらに、ノズル２２は、排出孔３２ａ，３２ｂ，３２ｃ，３２ｄへの進入および退出が可能であってもよい。
【００６２】
複数の分離流路３０ａ，３０ｂ，３０ｃ，３０ｄは、キャピラリー電気泳動法を用いた分析が行われる場であり、たとえばシリカからなる本体３６ａ，３６ｂ，３６ｃ，３６ｄに形成された微細な流路である。分離流路３０ａ，３０ｂ，３０ｃ，３０ｄの断面は、直径が２５〜１００μｍの円形、または辺の長さが２５〜１００μｍの矩形であることが好ましいが、キャピラリー電気泳動法を行うのに適した形状および寸法であればこれに限定されない。また、本実施形態においては、分離流路３０ａ，３０ｂ，３０ｃ，３０ｄの長さは、３０ｍｍ程度であるが、これに限定されるものではない。
【００６３】
分離流路３０ａ，３０ｂ，３０ｃ，３０ｄには、導入孔３１ａ，３１ｂ，３１ｃ，３１ｄおよび排出孔３２ａ，３２ｂ，３２ｃ，３２ｄが形成されている。導入孔３１ａ，３１ｂ，３１ｃ，３１ｄは、分離流路３０ａ，３０ｂ，３０ｃ，３０ｄの一端に設けられており、試料Ｓｐが導入される部分である。また、本実施形態においては、泳動液Ｌ１、精製水Ｌ２、および洗浄液Ｌ３の導入が可能である。排出孔３２ａ，３２ｂ，３２ｃ，３２ｄは、分離流路３０ａ，３０ｂ，３０ｃ，３０ｄの他端に設けられており、分離流路３０ａに充填された試料Ｓｐ、泳動液Ｌ１、精製水Ｌ２、および洗浄液Ｌ３などが排出される部分である。
【００６４】
また、分離流路３０ａ，３０ｂ，３０ｃ，３０ｄには、電極３３ａ，３３ｂ，３３ｃ，３３ｄと電極３４ａ、３４ｂ、３４ｃ、３４ｄが設けられている。本実施形態においては、電極３３ａ，３３ｂ，３３ｃ，３３ｄは、導入孔３１ａ，３１ｂ，３１ｃ，３１ｄに露出しており、電極３４ａ、３４ｂ、３４ｃ、３４ｄは、排出孔３２ａ，３２ｂ，３２ｃ，３２ｄに露出している。
【００６５】
検出部４０は、分離流路３０ａ，３０ｂ，３０ｃ，３０ｄにおいて試料Ｓｐのその他の成分から分離された特定成分を分析するためのものであり、検出部４１ａ，４１ｂ，４１ｃ，４１ｄからなる。検出部４１ａ，４１ｂ，４１ｃ，４１ｄは、分離流路３０ａ，３０ｂ，３０ｃ，３０ｄのうち、導入孔３１ａ，３１ｂ，３１ｃ，３１ｄよりも排出孔３２ａ，３２ｂ，３２ｃ，３２ｄに近い側の部分に設けられている。検出部４１ａ，４１ｂ，４１ｃ，４１ｄは、たとえばそれぞれ光源（図示略）および受光部（図示略）からなる。上記光源からの光を試料Ｓｐに照射し、試料Ｓｐからの反射光を上記受光部によって受光する。これにより、試料Ｓｐの吸光度が測定される。
【００６６】
制御部７１は、分析装置Ａの各部の動作を制御するためのものであり、分析装置Ａによる分析を実現するための一連の制御を行う。制御部７１は、たとえばＣＰＵ、メモリ、入出力インターフェースなどによって構成されている。
【００６７】
図１に示すように、分析装置Ａには、三方弁５１，５２，５３，５４が設けられている。これらの三方弁５１，５２，５３，５４は、それぞれ３つの接続口（図示略）を有しており、これらの接続口どうしの連通状態および遮断状態が、制御部７１によって独立に制御される。
【００６８】
泳動液槽１１は、流路６１を介して三方弁５１に接続されている。精製水槽１２および洗浄液槽１３は、流路６２，６３を介して三方弁５３に接続されている。希釈槽２５は、流路６４を介して三方弁５１に接続されており、また流路６７を介して三方弁５４に接続されている。三方弁５１は、流路６５を介して三方弁５２に接続されている。三方弁５３は、分岐流路６８を介して三方弁５２，５４に接続されている。
【００６９】
三方弁５２の下流側には、分岐流路６６を介して分離流路３０ａ，３０ｂ，３０ｃ，３０ｄが接続されている。分岐流路６６のうち分離流路３０ａ，３０ｂ，３０ｃ，３０ｄに繋がる部分には、ピンチバルブ５５ａ，５５ｂ，５５ｃ，５５ｄが設けられている。ピンチバルブ５５ａ，５５ｂ，５５ｃ，５５ｄは、制御部７１によって開閉が制御されており、分離流路３０ａ，３０ｂ，３０ｃ，３０ｄへの流入を許容および遮断可能となっている。また、分離流路３０ａ，３０ｂ，３０ｃ，３０ｄの下流側には、マニホールド５７が接続されている。分離流路３０ａ，３０ｂ，３０ｃ，３０ｄとマニホールド５７との間にはピンチバルブ５６ａ，５６ｂ，５６ｃ，５６ｄが設けられている。ピンチバルブ５６ａ，５６ｂ，５６ｃ，５６ｄは、制御部７１によって開閉が制御されており、分離流路３０ａ，３０ｂ，３０ｃ，３０ｄとマニホールド５７との連通状態および遮断状態が独立に制御される。
【００７０】
マニホールド５７は、流路６９を介して三方弁５４に接続されている。三方弁５４の下流側には、廃液ボトル５８が繋げられている。廃液ボトル５８は、使用済みの液体を貯蔵するためのものである。廃液ボトル５８には、吸引ポンプ５９が接続されている。吸引ポンプ５９は、負圧を発生する。この負圧は、三方弁５４を経由して、分岐流路６８および流路６９に付与される。マニホールド５７は、流路６９を介して付与された負圧を、分離流路３０ａ，３０ｂ，３０ｃ，３０ｄに均等に作用させる機能を果たす。
【００７１】
電源部７２は、分離流路３０ａ，３０ｂ，３０ｃ，３０ｄにおいてキャピラリー電気泳動法による分析を行うための電圧を印加するためのものである。図２に示すように、電源部７２は、電極３３ａ，３３ｂ，３３ｃ，３３ｄおよび電極３４ａ，３４ｂ，３４ｃ，３４ｄに接続されている。電源部７２と電極３３ａ，３３ｂ，３３ｃ，３３ｄとの間には、スイッチ７３ａ，７３ｂ，７３ｃ，７３ｄが設けられている。スイッチ７３ａ，７３ｂ，７３ｃ，７３ｄは、制御部７１によってＯＮ／ＯＦＦが制御されている。これにより、電源部７２と電極３３ａ，３３ｂ，３３ｃ，３３ｄとは、独立に導通可能とされている。電源部７２によって印加される電圧は、たとえば、１．５ｋＶ程度である。以下の説明においては、電源部７２は、電極３３ａ，３３ｂ，３３ｃ，３３ｄが正極に、電極３４ａ，３４ｂ，３４ｃ，３４ｄが負極になるように印加する例を説明するが、電源部７２は、これとは反対の極性で電圧を印加する機能を備えていてもよい。
【００７２】
次に、分析装置Ａを用いた分析方法について、以下に説明する。
【００７３】
図３は、本分析方法で実施される工程のうち、分離流路３０ａ，３０ｂ，３０ｃ，３０ｄのいずれか１つを用いてなされるものを示したフローである。以下、分離流路３０ａが用いられる場合を例に説明する。このフローは、前処理工程Ｓ１と分析工程Ｓ２とに大別される。前処理工程Ｓ１は、洗浄工程Ｓ１１、充填工程Ｓ１２、および分注工程Ｓ１３からなる。
【００７４】
洗浄工程Ｓ１１は、分析工程Ｓ２に先立ち、分離流路３０ａの内部に残存した前回の分析に用いられた試料Ｓｐなどを洗浄する工程である。具体的には、図１において、制御部７１からの指令によって、三方弁５３が精製水槽１２および洗浄液槽１３から分岐流路６８へと連通する状態に切り替えられる。また、三方弁５２が分岐流路６８から分岐流路６６へと連通する状態に切り替えられる。ピンチバルブ５５ａ，５６ａは、開状態とされ、ピンチバルブ５５ｂ，５５ｃ，５５ｄ，５６ｂ，５６ｃ，５６ｄは、閉状態とされる。三方弁５４は、分岐流路６８から廃液ボトル５８へと連通する状態とされる。この状態で、制御部７１によって吸引ポンプ５９を作動させる。これによって生じる負圧により、分離流路３０ａ内に精製水Ｌ２および洗浄液Ｌ３が充填され、これらが廃液ボトル５８へと排出される。なお、洗浄工程Ｓ１１は、分離流路３０ａに洗浄液Ｌ３を流した後に精製水Ｌ２を別に流すことによって実施してもよい。
【００７５】
充填工程Ｓ１２は、分離流路３０ａに電気泳動を実現するための泳動液Ｌ１を充填する工程である。具体的には、制御部７１からの指令によって三方弁５１が流路６１と流路６５とが連通し、流路６４がこれらと遮断される状態に切り替えられる。三方弁５２は、流路６５と分岐流路６６とが連通し、分岐流路６８がこれらと遮断される状態に切り替えられる。ピンチバルブ５５ａ，５５ｂ，５５ｃ，５５ｄ，５６ａ，５６ｂ，５６ｃ，５６ｄ、三方弁５４は、上述した洗浄工程Ｓ１１と同じ状態である。この状態で吸引ポンプ５９を作動させる。これにより、流路３０ａ内に泳動液Ｌ１が充填される。
【００７６】
分注工程Ｓ１３は、試料Ｓｐを導入孔３１ａから分離流路３０ａに分注する工程である。また、本実施形態の分注工程は、試料Ｓｐを分析に適した状態に希釈する工程を含んでいる。具体的には、図４に示すように、制御部７１の指令により上述した駆動機構（図示略）によってノズル２２を蓋２４に貫通させる。そして、ノズル２２の先端を試料Ｓｐに漬ける。次いで、シリンジ２１に吸入動作をさせることにより、ノズル２２を通してシリンジ２１内に試料Ｓｐを抽出する。
【００７７】
一方、図１において、三方バルブ５１を流路６１と流路６４とが連通する状態に切り替える。図示しないポンプなどを用いて圧力を発生させることにより、希釈槽２５に泳動液Ｌ１を導入する。次いで、図５に示すように、上記駆動機構によってノズル２２を希釈槽２５の泳動液Ｌ１に進入させる。そして、シリンジ２１に排出動作をさせることにより、希釈槽２５に試料Ｓｐを導入する。このとき、試料Ｓｐと泳動液Ｌ１との攪拌を促進するためには、シリンジ２１に吸気動作と排気動作を繰り返し実行させることが好ましい。本実施形態においては、試料Ｓｐは、たとえばヘモグロビンを含む全血などであり、泳動液Ｌ１は、血球膜を破壊する溶血作用を発揮する溶血成分を含んでいる。これにより、試料Ｓｐの血球が溶血され、ヘモグロビン分析に適した状態となる。
【００７８】
次いで、希釈槽２５において希釈された試料Ｓｐをシリンジ２１によって吸引する。そして、図６に示すように、上記駆動機構によってノズル２２の先端を分離流路３０ａの導入孔３１ａに侵入させる。この状態でシリンジ２１に排出動作をさせることにより、導入孔３１ａに希釈された試料Ｓｐが導入される。以上より、前処理工程Ｓ１が完了し、分離流路３０ａでの分析が可能な状態となる。
【００７９】
なお、本実施形態では分注工程Ｓ１３に希釈工程が含まれているが、希釈が必要でない試料Ｓｐが分析対象である場合、希釈工程を経ることなく分注工程Ｓ１３を実施してもよい。
【００８０】
次いで、分析工程Ｓ２を実施する。図３に示すように、分析工程Ｓ２は、分離工程Ｓ２１と検出工程Ｓ２２とからなる。
【００８１】
分離工程Ｓ２１は、分離流路３０ａに充填された泳動液Ｌ１において試料Ｓｐに含まれる特定成分であるたとえばヘモグロビンを分離する工程である。具体的には、図２に示す回路において、制御部７１の指令により、スイッチ７２ａをＯＮ状態に切り替える。そして、電源部７２から電極３３ａ，３４ａに電圧を印加する。このとき電極３３ａを正極とし、電極３４ａを負極とする。これにより、泳動液Ｌ１には、電極３３ａから電極３４ａへと向かう電気浸透流が発生する。また、特定成分であるヘモグロビンには、固有の電気泳動移動度に応じた移動が生じる。この移動速度は物質によって異なるため、特定成分であるヘモグロビンは、他の成分とは異なる速度で電極３３ａから電極３４ａに向かって移動することとなる。
【００８２】
検出工程Ｓ２２は、分離された特定成分であるたとえばヘモグロビンの量もしくは濃度などを検出する工程である。具体的には、制御部７１の指令により、検出部４１ａは、図１において分離流路３０ａのうち丸印が付された部分に上述した光源（図示略）からたとえば波長が４１５ｎｍの光を照射する。そして、その反射光を上述した受光部によって受光する。上記光源部から光が照射された部分を分離された特定成分であるヘモグロビンが通過すると、上記受光部の受光状態から把握される吸光度が変化する。この変化を制御部７１によって処理することにより、ヘモグロビンの量もしくは濃度を検出することができる。制御部７１のメモリには、この検出結果が分離流路３０ａの分析結果として記憶される。以上より、分離流路３０ａにおける前処理工程Ｓ１および分析工程Ｓ２が完了する。
【００８３】
以上に述べた前処理工程Ｓ１および分析工程Ｓ２は、分離流路３０ｂ，３０ｃ，３０ｄを用いて行う場合も同様である。ピンチバルブ５５ａ，５５ｂ，５５ｃ，５５ｄ，５６ａ，５６ｂ，５６ｃ，５６ｄを開閉することにより、分離流路３０ａ，３０ｂ，３０ｃ，３０ｄそれぞれにおいて独立に実施できる。
【００８４】
次に、分離流路３０ａ，３０ｂ，３０ｃ，３０ｄを用いた前処理工程Ｓ１および分析工程Ｓ２を説明する。図７に示すように、分離流路３０ａを用いて前処理工程Ｓ１ａおよび分析工程Ｓ２ａを実施し、分離流路３０ｂを用いて前処理工程Ｓ１ｂおよび分析工程Ｓ２ｂを実施し、分離流路３０ｃを用いて前処理工程Ｓ１ｃおよび分析工程Ｓ２ｃを実施し、分離流路３０ｄを用いて前処理工程Ｓ１ｄおよび分析工程Ｓ２ｄを実施する。前処理工程Ｓ１ａ，Ｓ１ｂ，Ｓ１ｃ，Ｓ１ｄと分析工程Ｓ２ａ，Ｓ２ｂ，Ｓ２ｃ，Ｓ２ｄは、区別のため便宜上添え字を付したものであり、それぞれ前処理工程Ｓ１および分析工程Ｓ２と同様の工程である。また、洗浄工程Ｓ１１ａ，Ｓ１１ｂ，Ｓ１１ｃ，Ｓ１１ｄ、充填工程Ｓ１２ａ，Ｓ１２ｂ，Ｓ１２ｃ，Ｓ１２ｄ、分注工程Ｓ１３ａ，Ｓ１３ｂ，Ｓ１３ｃ，Ｓ１３ｄ、および分離工程Ｓ２１ａ，Ｓ２１ｂ，Ｓ２１ｃ，Ｓ２１ｄ、検出工程Ｓ２２ａ，Ｓ２２ｂ，Ｓ２２ｃ，Ｓ２２ｄは、それぞれ上述した洗浄工程Ｓ１１、充填工程Ｓ１２、分注工程Ｓ１３、および分離工程Ｓ２１、検出工程Ｓ２２と同様の工程である。
【００８５】
まず、分離流路３０ａを用いた前処理工程Ｓ１ａを開始する。そのうち洗浄工程Ｓ１１ａが終了すると、分離流路３０ｂを用いた前処理工程Ｓ１ａを開始する。これと並行して、分離流路３０ａを用いた充填工程Ｓ１２ａ、分注工程Ｓ１３ａおよび分析工程Ｓ２ａを実施する。分離流路３０ｂを用いた洗浄工程Ｓ１１ｂが終了すると、分離流路３０ｃを用いた前処理工程Ｓ１ｃを開始する。これと並行して、分離流路３０ｂを用いた充填工程Ｓ１２ｂ、分注工程Ｓ１３ｂおよび分析工程Ｓ２ｂを実施する。そして、分離流路３０ｃを用いた洗浄工程Ｓ１１ｃが終了すると、分離流路３０ｄを用いた前処理工程Ｓ１ｄを開始する。これと並行して、分離流路３０ｃを用いた充填工程Ｓ１２ｃ、分注工程Ｓ１３ｃおよび分析工程Ｓ２ｃを実施する。洗浄工程Ｓ１１ｄが終了すると、これに引き続き分離流路３０ｄを用いた充填工程Ｓ１２ｄ、分注工程Ｓ１３ｄおよび分析工程Ｓ２ｄを実施する。このように、本実施形態においては、洗浄工程Ｓ１１ａ，Ｓ１１ｂ，Ｓ１１ｃ，Ｓ１１ｄが遅滞無く連続して実施される。前処理工程Ｓ１ａ，Ｓ１ｂ，Ｓ１ｃ，Ｓ１ｄおよび分析工程Ｓ２ａ，Ｓ２ｂ，Ｓ２ｃ，Ｓ２ｄは、互いの開始時刻が異なる時刻に設定されている。
【００８６】
次に、分析装置Ａおよびこれを用いた分析方法の作用について説明する。
【００８７】
本実施形態によれば、図７に示すように、前処理工程Ｓ１ａ，Ｓ１ｂ，Ｓ１ｃ，Ｓ１ｄを完了するのに要する時間は、前処理工程Ｓ１ａ，Ｓ１ｂ，Ｓ１ｃ，Ｓ１ｄそれぞれを個別に完了させる時間を合計した時間よりも明らかに短い。このため、分析工程Ｓ２ａ，Ｓ２ｂ，Ｓ２ｃ，Ｓ２ｄを、たとえば図８に示した例と比べて相当早く終了させることが可能である。これにより、分析装置Ａを用いた分析をより効率よく行うことができる。
【００８８】
図１に示すように、分離流路３０ａ，３０ｂ，３０ｃ，３０ｄは、共通の泳動液槽１１、精製水槽２１、洗浄液槽１３に分岐流路６６を介して接続されている。分離流路３０ａ，３０ｂ，３０ｃ，３０ｄの上流側に設けられたピンチバルブ５５ａ，５５ｂ，５５ｃ，５５ｄは、個別に開閉自在であるため、泳動液Ｌ１、精製水Ｌ２、洗浄液Ｌ３を分離流路３０ａ，３０ｂ，３０ｃ，３０ｄに選択的に流し込むことが可能である。これは、前処理工程Ｓ１ａ，Ｓ１ｂ，Ｓ１ｃ，Ｓ１ｄを並行して実施するのに適している。
【００８９】
図２に示すように、スイッチ７３ａ，７３ｂ，７３ｃ，７３ｄを備えることにより、共通の電源部７２から、分離流路３０ａ，３０ｂ，３０ｃ，３０ｄに選択的に電圧を印加することが可能である。さらに、分離流路３０ａ，３０ｂ，３０ｃ，３０ｄのいずれか２つに同時に電圧を印加することが可能である。これは、検出工程Ｓ２２ａ，Ｓ２２ｂ，Ｓ２２ｃ，Ｓ２２ｄを並行して行うのに適している。
【００９０】
分注手段２０のノズル２２は、蓋２４を貫通可能であるため、試料容器２３から試料Ｓｐを適切に抽出することができる。また、シリンジ２１の吸引動作および排気動作を繰り返すことにより、希釈槽２５における試料Ｓｐと希釈液としての泳動液Ｌ１との攪拌を好適に促進することができる。ノズル２２は、分離流路３０ａ，３０ｂ，３０ｃ，３０ｄの導入孔３１ａ，３１ｂ，３１ｃ，３１ｄに個別に試料Ｓｐを分注可能である。これにより、分離流路３０ａ，３０ｂ，３０ｃ，３０ｄのうち充填工程Ｓ１２ａ，Ｓ１２ｂ，Ｓ１２ｃ，Ｓ１２ｄのいずれかが完了したものに、遅滞無く試料Ｓｐを分注することができる。
【００９１】
マニホールド５７を設けておくことにより、吸引ポンプ５９からの負圧が、分離流路３０ａ，３０ｂ，３０ｃ，３０ｄに不均一に付与されてしまうことを抑制することができる。
【００９２】
なお、ノズル２２による分注を、排出孔３２ａ，３２ｂ，３２ｃ，３２ｄに対して行う方法を実施することも可能である。この場合、電源部７２は、電極３４ａ，３４ｂ，３４ｃ，３４ｄが正極となり、電極３３ａ，３３ｂ，３３ｃ，３３ｄが負極となるように電圧を印加する。検出部４１ａ，４１ｂ，４１ｃ，４１ｄが、分離流路３０ａ，３０ｂ，３０ｃ，３０ｄの中央からシフトした位置に配置されているため、極性を反転させることにより、電気泳動による移動の開始地点から検出部４１ａ，４１ｂ，４１ｃ，４１ｄまでの移動距離が異なることとなる。これにより、異なる条件での分析を行うことができる。
【００９３】
本発明に係る分析装置および分析方法は、上述した実施形態に限定されるものではない。本発明に係る分析装置および分析方法の具体的な構成は、種々に設計変更自在である。
【００９４】
分離流路３０ａ，３０ｂ，３０ｃ，３０ｄのいずれか２つ以上において同一の試料Ｓｐを対象として分析を行う構成であってもよい。この場合、制御部７１は、複数回の分析によって得られた分析結果を平均化処理することにより、この試料Ｓｐの最終的な分析結果を算出する。また、複数回行った分析結果のいずれかが、あらかじめ想定した範囲を大きく逸脱している、あるいは複数回の分析結果の平均値よりも過大にかけ離れている、といった場合には、制御部７１は、そのような分析結果を異常な結果と判断してもよい。異常な分析結果と判断されたものは、平均化処理から除去される。
【００９５】
分離流路３０ａ，３０ｂ，３０ｃ，３０ｄごとの分析結果に対して、制御部７１によって補正演算処理を行う構成としてもよい。たとえば、ヘモグロビン（Ｈｂ）が測定対象である場合、上述した前処理工程Ｓ１および分析工程Ｓ２に先立って、濃度が既知である校正用試料を、分離流路３０ａ，３０ｂ，３０ｃ，３０ｄのそれぞれで分析しておく。この分析によって得られた分析結果（ＨｂＡ１ｃの割合）と、上記校正用試料のＨｂＡ１ｃの既知の割合とを比較することにより、分離流路３０ａ，３０ｂ，３０ｃ，３０ｄごとの補正係数を算出しておく。そして、分離流路３０ａ，３０ｂ，３０ｃ，３０ｄごとに、実際の測定によって得られた分析結果に対して、上記補正係数を用いた補正演算処理を施す。このような構成によれば、分析結果をより正確な値へと補正することができる。
【００９６】
補正演算処理の別の手法としては、移動速度と測定結果との相関を補正することが挙げられる。電気泳動を用いた分析においては、移動速度が遅いものほど検出部４１ａ，４１ｂ，４１ｃ，４１ｄを通過するためにより長い時間を要する。実際の濃度が同じであっても、通過時間が長いほど測定値が大きくなりやすい傾向がある。このため、分離流路３０ａ，３０ｂ，３０ｃ，３０ｄのそれぞれについて、検出に要する時間に応じた補正係数を用意しておくとよい。実際の分析結果に対して、検出に要した時間に対応する補正係数を用いて補正演算処理を行うことにより、移動速度による分析結果のばらつきを抑制することができる。このような検出時間と分析結果との相関関係は、分離流路３０ａ，３０ｂ，３０ｃ，３０ｄの使用回数によって変化することが考えられる。このため、上述した補正係数は、使用回数に対しても相関を有する値として設定することが好ましい。
【００９７】
分離流路３０ａ，３０ｂ，３０ｃ，３０ｄの本数は、４本に限定されない。分離流路３０ａ，３０ｂ，３０ｃ，３０ｄの構成は、いわゆるストレート型のものに限定されず、たとえば、２つの流路が交差したクロスインジェクション型のものであってもよい。試料Ｓｐとしては、全血に代表されるヘモグロビンを含むものに限定されず、たとえばＤＮＡ、ＲＮＡ（リボ核酸）、タンパク質を含むものであってもよい。
【００９８】
本発明における分析工程で行う分析は、キャピラリー電気泳動法を用いたものに限定されず、たとえば、微量液体クロマトグラフィ法を用いたものであってもよい。この場合、分離工程では、カラムにおける分離、溶出、反応などが実施され、検出工程では、反応精製物の検出を行う。
【符号の説明】
【００９９】
Ａ      分析装置
Ｌ１    泳動液
Ｌ２    精製水
Ｌ３    洗浄液
Ｓｐ    試料
１０    貯槽部
１１    泳動液槽
１２    精製水槽
１３    洗浄液槽
２０    分注手段
２１    シリンジ
２２    ノズル
２３    試料容器
２４    蓋
２５    希釈槽
３０ａ，３０ｂ，３０ｃ，３０ｄ  分離流路
３１ａ，３１ｂ，３１ｃ，３１ｄ  導入孔
３２ａ，３２ｂ，３２ｃ，３２ｄ  排出孔
３３ａ，３３ｂ，３３ｃ，３３ｄ  電極
３４ａ，３４ｂ，３４ｃ，３４ｄ  電極
３６ａ，３６ｂ，３６ｃ，３６ｄ  本体
４０    検出手段
４１ａ，４１ｂ，４１ｃ，４１ｄ    検出部
５１，５２，５３，５４  三方バルブ
５５ａ，５５ｂ，５５ｃ，５５ｄ  ピンチバルブ
５６ａ，５６ｂ，５６ｃ，５６ｄ  ピンチバルブ
５７    マニホールド
５８    廃液ボトル
５９    吸引ポンプ（圧力発生手段）
６１，６２，６３，６４，６５，６７，６９  流路
６６，６８  分岐流路
７１    制御部
７２    電源部
７３ａ，７３ｂ，７３ｃ，７３ｄ  スイッチ
【図１】
2014132276.tif 000003
【図２】
2014132276.tif 000004
【図３】
2014132276.tif 000005
【図４】
2014132276.tif 000006
【図５】
2014132276.tif 000007
【図６】
2014132276.tif 000008
【図７】
2014132276.tif 000009
【図８】
2014132276.tif 000010